(57)【要約】【課題】容器の首部に螺合させられる円筒部と、その円筒部にヒンジ部を介して連結され、首部の口部を封止し、かつ首部の側壁面の一部を覆うことのできる開閉部とを有したネジ式キャップにおける封止構造を提供する。【解決手段】雄ネジ部３が形成された首部２と、前記雄ネジ部３に螺合する雌ネジ部６が内周面に形成された円筒部１４と、該円筒部１４の上端側の周縁部の一部にヒンジ部１５を介して連結されて前記首部２の先端に形成されている口部４を封止し、前記首部２の側壁面を覆うことのできる開閉部１６とを備えたネジ式キャップにおける封止構造において、前記開閉部１６の内面には、前記雄ネジ部３と上下方向で係合する突起部２１（ロック爪）が設けられ、前記雄ネジ部６の一部には、前記突起部２１が前記首部２の軸線方向に通過することのできる切り欠き部１０が形成されている。【選択図】図１
2011219112.tif 000002
【特許請求の範囲】
【請求項１】
外周面に雄ネジ部が形成された首部と、
前記雄ネジ部に螺合する雌ネジ部が内周面に形成された円筒部と、
該円筒部の上端側の周縁部の一部にヒンジ部を介して連結されて前記首部の先端に形成されている口部を封止する上板部と該上板部のヒンジ部が形成された箇所とは異なった他の周縁部から前記円筒部の軸線方向に垂下して形成され、前記首部の側壁面を覆う側壁部とで形成された開閉部とを備えたネジ式キャップにおける封止構造において、
前記側壁部の内面には、前記雄ネジ部と上下方向で係合する突起部が設けられ、
前記雄ネジ部の一部には、前記突起部が前記首部の軸線方向に通過することのできる切り欠き部が形成されていることを特徴とするネジ式キャップにおける封止構造。
【請求項２】
前記首部には、前記突起部が前記切り欠き部に対してずれた箇所に位置する場合にその突起部が前記首部の上方向に対して係合して前記開閉部の開動作を規制するリブが形成されていることを特徴とする請求項１に記載のネジ式キャップにおける封止構造。
【請求項３】
前記開閉部に設けられた第１識別子と、
前記首部に設けられた第２識別子と第３識別子とを更に備え、
前記第２識別子は、前記突起部と前記切り欠き部とが円周方向で一致する場合に前記第１識別子と円周方向で一致する位置に設けられ、
前記第３識別子は、前記首部の円周方向で前記第２識別子とは異なりかつ前記突起部が前記切り欠き部に対してずれた位置に前記開閉部が回転させられた場合に前記第１識別子に一致する位置に設けられていることを特徴とする請求項１または請求項２に記載のネジ式キャップにおける封止構造。
【発明の詳細な説明】
【技術分野】
【０００１】
本発明は、食品、飲料、化粧品、トイレタリー、日用品、文具などの包装容器として、ボトル型缶、瓶、カップ、袋などの容器とその容器の口部に取り付けられるキャップとにより構成される封止構造に関し、特に容器とキャップとの取り付け方法がネジ式のキャップによる封止構造に関するものである。
【背景技術】
【０００２】
従来、飲料用ボトル型缶や瓶などの容器の首部に形成された雄ネジと、キャップの内周面に形成された雌ネジとによって、容器に螺合させるネジ式キャップが知られている。また、容器にキャップを固定もしくは容器からキャップを取り外さずに、容器の内容物を取り出せるものとしてヒンジ部を備えたキャップが知られている。このヒンジキャップは、主に繰り返し開閉される商品のキャップとして使用されることが多い。
【０００３】
そして、容器とキャップとの取り付け方法がネジ式であり、かつヒンジを有したネジ式キャップが特許文献１に記載されている。この特許文献１に記載されたネジ式ヒンジキャップは、内容物の注出口が形成されたキャップ本体とそのキャップ本体にヒンジを介して連結されてキャップ本体の注出口を覆う蓋体とを有していて、そのキャップ本体が容器と螺合されたものである。このネジ式ヒンジキャップは、主に歯磨き粉用容器のキャップとして使用されている。なお、特許文献２に記載されたキャップは、通常のネジ式キャップにキャップを取り外した場合のキャップの落下や紛失を防止する紐状連結体を有したものである。
【先行技術文献】
【特許文献】
【０００４】
【特許文献１】特開２００８−１５５９６１号公報
【特許文献２】特開２００５−５９８７６号公報
【発明の概要】
【発明が解決しようとする課題】
【０００５】
上記特許文献１に記載されたキャップは、容器と螺合させるキャップ本体に内容物の注出口が形成され、その注出口を覆うように蓋体がキャップ本体にヒンジを介して形成されている。したがって、蓋体を押し開くことにより注出口が開かれて内容物を取り出すことができる。また、歯磨き粉用の商品では、内容物の粘度が高いため、特に内容物の残量が少ないときには容器を傾けただけでは内容物が取り出し切れないから、キャップ本体を容器から取り外せば、容器を絞るようにして内容物を取り出すことができる。しかしながら、例えば飲料用ボトルに用いるキャップにおいては、容器の口部および首部の少なくとも一箇所に口を付け、内容物を飲用するので、開閉することのできる蓋体で容器の口部および首部の少なくとも一箇所を覆うこととなるが、蓋体の側壁部の内面にネジ部を形成すると、蓋体を開閉する場合に容器の雄ネジ部と蓋体の雌ネジ部とが干渉して開閉することができない。したがって、ネジ式ヒンジキャップに特有の構成を開発する余地がある。
【０００６】
本発明は上記の事情を背景としてなされたものであり、容器の首部に螺合させられる円筒部と、その円筒部にヒンジを介して連結され、首部の口部を封止し、かつ首部の側壁面の一部を覆うことのできる開閉部とを有したネジ式キャップにおける封止構造を提供することを目的とするものである。
【課題を解決するための手段】
【０００７】
上記の目的を達成するために、請求項１の発明は、外周面に雄ネジ部が形成された首部と、前記雄ネジ部に螺合する雌ネジ部が内周面に形成された円筒部と、該円筒部の上端側の周縁部の一部にヒンジ部を介して連結されて前記首部の先端に形成されている口部を封止する上板部と該上板部のヒンジ部が形成された箇所とは異なった他の周縁部から前記円筒部の軸線方向に垂下して形成され、前記首部の側壁面を覆う側壁部とで形成された開閉部とを備えたネジ式キャップにおける封止構造において、前記側壁部の内面には、前記雄ネジ部と上下方向で係合する突起部が設けられ、前記雄ネジ部の一部には、前記突起部が前記首部の軸線方向に通過することのできる切り欠き部が形成されていることを特徴とするものである。
【０００８】
請求項２の発明は、請求項１の発明において、前記首部には、前記突起部が前記切り欠き部に対してずれた箇所に位置する場合にその突起部が前記首部の上方向に対して係合して前記開閉部の開動作を規制するリブが形成されていることを特徴とするネジ式キャップによる封止構造である。
【０００９】
請求項３の発明は、請求項１または請求項２の発明において、前記開閉部に設けられた第１識別子と、前記首部に設けられた第２識別子と第３識別子とを更に備え、前記第２識別子は、前記突起部と前記切り欠き部とが円周方向で一致する場合に前記第１識別子と円周方向で一致する位置に設けられ、前記第３識別子は、前記首部の円周方向で前記第２識別子とは異なりかつ前記突起部が前記切り欠き部に対してずれた位置に前記開閉部が回転させられた場合に前記第１識別子に一致する位置に設けられていることを特徴とするネジ式キャップによる封止構造である。
【発明の効果】
【００１０】
請求項１に記載の発明によれば、首部と円筒部とはそれぞれに設けられたネジ部により螺合され、その円筒部には、ヒンジ部を介して連結され、首部の口部を封止する上板部とその上板部のヒンジ部が連結されている箇所とは異なった他の周縁部から垂下して形成され首部の側壁部を覆う側壁部とで形成された開閉部が形成されている。そして、その側壁部の内面には、雄ネジ部と上下方向において係合する突起部が設けられ、雄ネジ部の一部には、その突起部が前記首部の軸線方向に通過することのできる切り欠き部が形成されている。したがって、前記突起部と前記切り欠き部とが円周方向で一致する場合に、開閉部に開閉方向もしくは上下方向の力を作用させると、突起部が切り欠き部を通過できるので、開閉部はヒンジ部を中心として回動でき、容器の口部を開くことができる。
【００１１】
また、請求項２に記載の発明によれば、前記首部には、前記突起部が前記切り欠き部に対してずれた箇所に位置する場合にその突起部が前記首部の上方向に対して係合して前記開閉部の開動作を規制するリブが設けられているので、突起部と切り欠き部とがずれた箇所に位置する場合は、キャップが閉じた状態もしくは口部を封止した状態を維持することができる。
【００１２】
さらに、請求項３に記載された発明によれば、開閉部に第１識別子が設けられ、首部には、第２識別子および第３識別子が更に設けられている。そして、突起部と切り欠き部とが円周方向において一致する場合に、第１識別子と第２識別子とが円周方向で一致する。したがって、第１識別子と第２識別子とが円周方向で一致している場合は、キャップが開栓できることを明示できる。また、第３識別子は、首部の円周方向で第２識別子とは異なりかつ前記突起部が前記切り欠き部に対してずれた位置に前記開閉部が回転させられた場合に前記第１識別子に一致する位置に設けられているので、第１識別子と第３識別子とが円周方向で一致する場合には、突起部が首部に設けられたリブもしくは雄ネジ部の下方に位置する。したがって、キャップを開栓することができないことを明示できる。つまり、開閉部と首部とに識別子を設けることにより、現状のキャップの位置が開閉することができる位置か否か視覚的に識別することができる。
【図面の簡単な説明】
【００１３】
【図１】本発明に係る封止構造の一例を示す斜視図である。
【図２】本発明の対象とすることのできる容器の首部の一例を示す左側面図である。
【図３】その首部の正面図である。
【図４】その首部の背面図である。
【図５】本発明で対象とすることのできるキャップの一例を示す左側面図である。
【図６】そのキャップの正面図である。
【図７】そのキャップの背面図である。
【図８】そのキャップの前部の内面を示す図である。
【図９】そのキャップの後部の内面を示す図である。
【図１０】キャップを容器に係止した状態の断面図である。
【図１１】キャップが開栓できる状態の断面図である。
【発明を実施するための形態】
【００１４】
つぎに、本発明をより具体的に説明する。本発明の対象とすることのできるキャップは、容器の飲み口あるいは取り出し口などの口部となる首部に取り付けられて、その口部を開閉するように構成されている。キャップは、射出成形、圧縮成形等従来公知の成形法により成形されるキャップに適用できるが、特に射出成形により、二次加工することなく成形されるものに有効である。キャップの成形に用いることができる樹脂としては、従来、樹脂キャップに用いられていたすべてのものを使用することができる。例えば、ポリエチレン、アイソタクティクポリプロピレン、エチレン−ポリプロピレン共重合体、ポリブテン−１、エチレン−ブテン−１共重合体、プロピレン−ブテン−１共重合体、エチレン−酢酸ビニル共重合体等のオレフィン系樹脂や、ポリスチレン、スチレン−ブタジエン共重合体、ＡＢＳ樹脂あるいはポリカーボネート等の合成樹脂を挙げることができる。その容器は、主として飲料などの液体を充填するものであるが、本発明ではこれに限られない。また、容器は金属製、合成樹脂製、ガラス製、陶磁器製などのいずれであってもよい。首部は、その容器の本体部分から突出させて形成され、先端部が口部として開口している部分であり、円筒状をなすように形成されているのが一般的であるが、本発明ではこれに限られない。
【００１５】
本発明に係る封止構造は、容器１の首部２の外周面に形成された雄ネジ部３と、その容器１の口部４を封止するキャップ５の内周面に形成された雌ネジ部６とが螺合してキャップ５が容器１に装着され、さらにそのキャップ５の開閉動作を規制するロック機能を有したネジ式キャップ５による封止構造である。その封止構造の一例を図１に示してある。なお、容器１およびキャップ５は図に示す状態で使用されるのが通常であるから、以下の説明では、図に示してある状態での上下を容器１およびキャップ５の上下として説明する。
【００１６】
まず、本発明の対象とすることのできる容器１の首部２の構造について説明すると、図２ないし４はその一例を示し、首部２は、容器１の本体部７における上部に突出して形成された円筒状の部分であり、その上端部が開口して口部４となっている。また、その首部２の下端部すなわち本体部７に近い箇所に、フランジ部８が形成され、そのフランジ部８よりも上側に第１環状突起部９が形成されている。この第１環状突起部９の上面は、外周端側で下がっている傾斜面（あるいはテーパー面）となっているのに対して、下面は首部２の中心軸線に垂直な平面にほぼ一致する水平面となっている。すなわち、第１環状突起部９は抜け止め部として作用するように構成されている。
【００１７】
そして、第１環状突起部９のさらに上側には、キャップ５と螺合する雄ネジ部３が形成されている。この雄ネジ部３は、首部２の左側面から首部２を一周以上に亘って取り巻いた螺旋状の部分であり、その雄ネジ部３のうち、首部２の前面に位置する箇所には、首部２の中心軸線を挟んで左右に二つの切り欠き部１０が形成されている。この切り欠き部１０を設けたことによる作用については後述する。そして、この雄ネジ部３と上記第１環状突起部９との間にはリブ１１が設けられている。このリブ１１の一端は、雄ネジ部３の最終端部もしくは下端部と連設して、首部２の中心軸線に垂直な平面にほぼ一致する水平面となっている突条の部分であり、首部２の背面壁の方向へ向けて９０°以上の範囲で形成されている。このリブ１１の形状は、図に示す一例では、首部２の中心軸線に沿った断面形状が図１０および図１１に示すように外周縁が垂直となっているが、これに限定されず、断面形状が雄ネジ部３と同様であってもよい。なお、首部２の下端部の前後それぞれに半径方向の外周へ向けて突出した第２識別子１２、第３識別子１３が設けられている。この各識別子１２，１３は、この容器１に対して後述するキャップ５の回転位置を示すものであるので、これら識別子１２，１３の上面に、例えば「Ｏｐｅｎ」，「Ｃｌｏｓｅ」と刻印することが好ましい。
【００１８】
そして、首部２の上端面すなわち口部４の輪郭部は、首部２の板厚より広い幅になっており、また角部は滑らかな曲面に形成されている。これは、キャップ５によるシール性を確保するためであり、また唇が接触した場合の感触を良好にするためである。
【００１９】
つぎに、本発明で対象とすることのできるキャップ５について説明する。図５ないし７はその一例を示し、このキャップ５は、容器１の首部２に螺合されて首部２に取り付けられる円筒部１４と、その円筒部１４の上端部に設けられたヒンジ部１５を介して連結された開閉部１６とで構成されている。この円筒部１４は、円筒状のリング部１４ａと、その円筒部１４のキャップ５の軸線方向の上方に延びている立ち上がり部１４ｂとを備えている。その立ち上がり部１４ｂは、リング部１４ａの半周以下の範囲に設けられ、リング部１４ａと同様の曲率で湾曲した壁状の部分である。その上端部は首部２の上端部すなわち口部４に近い位置にまで到っている。その立ち上がり部１４ｂの上端部にヒンジ部１５が設けられている。
【００２０】
このヒンジ部１５は、図７に示すように、円筒部１４と開閉部１６とを連結している薄い二本の帯状の部分（以下、帯状部１５ａと記す）であり、それらの帯状部１５ａは円筒部１４および開閉部１６と同一の素材で一体に形成されている。なお、それらの帯状部１５ａ同士の間隔は、キャップ５の中心を中心とした開き角度（キャップ５の中心と各帯状部１５ａとを結んだ線がなす角度）が２０〜７０°程度に設定されている。これは、開閉部１６を完全に開いた状態もしくは開閉部１６が９０°以上に開栓した状態で、開閉部１６が口部４を封止する方向へ回動することを抑制もしくは防止するためである。つまり、開栓した状態を維持させるためである。
【００２１】
上記の立ち上がり部１４ｂの上端縁は、ヒンジ部１５に近い箇所から左右に延び、かつヒンジ部１５に近い箇所を上端としてリング部１４ａに向けて次第に下がっている。すなわち、立ち上がり部１４ｂにおける左右両側の部分の上端縁は、キャップ１の１／４周に満たない範囲の短い螺旋状になっている。
【００２２】
上記のヒンジ部１５によって円筒部１４に連結されている開閉部１６は、前記口部４を覆って口部４を封止するためのものであり、図に示す例では、円形の上板部１６ａと上板部１６ａの周縁部から垂下しているカバー部（側壁部）１６ｂとを備えている。上板部１６ａは前記口部４の外径より大きい円盤状の部分であり、その内面（下面）には、口部４に密着して嵌合する円筒状のプラグ部１６ｃが一体に形成されている。このプラグ部１６ｃは、例えば図８および９に示すように、円筒状の部分であってよいし、それ以外に口部４に密着して密封性が保たれるのであれば、このプラグ部１６ｃは平坦形状でもよいし、凹凸形状でもよいし、これに限られない。さらに、上板部１６ａの下面で、プラグ部１６ｃの外周側の部分には、首部２の上端面に密着させられる凸ビード１６ｄが形成されている。この凸ビード１６ｄは、首部２の上端面と同一径の環状の突条部であり、首部２の上端面に密着させられて、口部４の密閉状態を維持するように構成されている。
【００２３】
この上板部１６ａに一体化されているカバー部１６ｂは、前述した円筒部１４における立ち上がり部１４ｂと同様の湾曲した壁状の部分であり、あるいは一部欠けた円筒状の部分である。したがって、このカバー部１６ｂは、首部２の外周面のうち、首部２の中心軸線を挟んで前記ヒンジ部１５とは反対側の部分、言い換えれば前記立ち上がり部１４ｂによっては覆われていない首部２の側壁面を覆うように構成されている。このカバー部１６ｂの構成を更に説明すると、カバー部１６ｂは前述した円筒部１４と共に、首部２を覆うように構成され、したがってその形状は、首部２の外面のうち、前記円筒部１４によっては覆われていない首部の側壁面を覆う形状になっている。具体的には、前記リング部１４ａのうち前記立ち上がり部１４ｂが設けられていない箇所に対応する箇所、すなわち前記リング部１４ａのうち前記立ち上がり部１４ｂが設けられていない箇所の上側に位置させられる部分は、リング部１４ａとほぼ等しい半径の筒状に形成され、その筒状の部分の左右から前記立ち上がり部１４ｂに向けて延びている部分は、円筒部１４ａの曲率とほぼ等しい曲率で湾曲し、かつ立ち上がり部１４ｂのリング部１４ａからの高さが前記ヒンジ部１５に向けて次第に高くなっていることに倣って、首部２の軸線方向に測った高さ（あるいは幅）が次第に小さくなっている。すなわちカバー部１６ｂの左右の部分の下端縁は、立ち上がり部１４ｂにおける左右両側の部分の上端縁と平行になるように傾斜し、キャップ５の１／４周に満たない範囲の短い螺旋状になっている。
【００２４】
なお、この円筒部１４と開閉部１６との連結部すなわちカバー部１６ｂと立ち上がり部１４ｂもしくはリング部１４ａとの連結部は、最初に開蓋する場合に容易に破断することのできる易破断部１７で連結している。つまり、その連結部は、内外に貫通している複数のスリットにより形成されたブリッジ部１７ａやＶ字状に切り込まれてＶ字状の溝の底部の残厚が円筒部の他の側壁部の板厚と比べて薄いスコア線１７ｂなどである。このように形成された易破断部１７は、一旦、開蓋させたことを明示するいわゆるピルファープルーフ機能を有している。図における一例では、立ち上がり部１４ｂにおける左右両側の部分の上端縁とカバー部１６ｂの左右の部分の下端縁との間にスコア線１７ｂが形成され、リング部１４ａとカバー部１６ｂとの間にブリッジ部１７ａが形成されている。
【００２５】
一方、カバー部１６ｂの前面壁には、開閉部１６の半径方向の外周へ向けて突出した突片部１８が設けられている。この突片部１８は、キャップ５を開蓋するときに指が引っかかりやすくするためのものである。図に示す一例では、突片部１８は、前面壁の下端部の中央に形成されていて、突片部１８を押し上げると左右に形成されたスコア線１７ｂに開蓋力が均等に作用して、開閉部１６を開蓋しやすくなる。なお、この突片部１８の上面には、第１識別子１９が設けられている。この第１識別子１９は、上述した第２および第３識別子１２，１３と同様に、容器１に対してキャップ５の現状の回転方向の位置を明示するためのものであり、その第１識別子１９には、例えば外周へ向けた「矢印」を設けることが好ましい。
【００２６】
つぎに、キャップ５の内面の構造について説明する。図８および９は、キャップ５の内面を示す図であり、上記リング部１４ａの下端部の内面には、第２環状突起部２０が形成されている。この第２環状突起部２０の上面は、リング部１４ａの軸線方向に垂直な平面にほぼ一致した水平面となっていて、その上面の内周縁から下方向の外周に向けた傾斜面（テーパ面）が形成されている。すなわち、この第２環状突起部２０は抜け防止部として作用するように構成されている。
【００２７】
上記第２環状突起部２０の上方かつ立ち上がり部１４ｂの内面の上下方向におけるほぼ中央部に、雌ネジ部６が形成されている。この雌ネジ部６は、立ち上がり部１４ｂを横切り、それぞれが平行な二つの螺旋状の部分である。この雌ネジ部６は、上記雄ネジ部３と螺合してキャップ５を首部２に固定もしくは取り付けるためのものである。
【００２８】
さらに、カバー部１４ｂの前面の円周方向における中央部には、カバー部１４ｂの中心軸線を中心として左右に二つの突起部（以下、ロック爪２１と記す。）が設けられている。このロック爪２１は、後述する開栓ロックのために設けられたものであり、ロック爪２１同士の距離は、前述した首部２に形成された切り欠き部１０同士の距離と一致している。また、図８に示す例では、このロック爪２１は、立ち上がり部１４ｂに設けられた雌ネジ部６の下側の螺旋状突起の最終端部の延長線上に配置されている。つまり、ロック爪２１はカバー部１４ｂの下端部に形成され、キャップ５の内面に形成された雌ネジ部６の一部を取り除いて形成された突起部分であり、このロック爪２１の断面形状は、雌ネジ部６と同様である。したがって、このロック爪２１は、キャップ５を容器１に螺合させる場合は、雌ネジ部６の一部として作用し、キャップ５を容器１に取り付け開栓を抑制もしくは閉じた状態を維持させる場合は、ロック機能として作用する。なお、上述したロック爪２１に加え、キャップ５を容器１に安定して螺合させるために、ロック爪２１の上部に螺旋状の突状部すなわち雌ネジ部６の上側の最終端部の延長線上に位置する突状部を設けてもよい。また、図に示す例のようにロック爪２１を雌ネジ部の一部として設けてもよいが、このロック爪２１は、要は後述する開栓ロックをするためのものであるので、雌ネジ部の延長線上に設けなくともよい。つまり、キャップ５を容器１に取り付ける際のネジとしての機能を有さない突起部でもよい。
【００２９】
つぎに、この発明に係る封止構造の作用について説明する。上記のキャップ５は、容器１に形成された雄ネジ部３とキャップ５に形成された雌ネジ部６とを螺合させて取り付けられている。ここで、キャップ５が容器１に取り付けられる工程を説明すると、まず、容器１の首部２にキャップ５を押し込み、キャップ５の内面に形成された第２環状突起部２０が首部２の雄ネジ部３を乗り越える。これは、第２環状突起部２０は上述したように傾斜面が形成されているため、容易もしくは小さな力で行うことができる。そして、キャップ５に形成されたロック爪２１と首部２に形成された雄ネジ部３とが噛み合う位置まで、キャップ５を押し込み、ロック爪２１と雄ネジ部３とが噛み合い始めたらキャップ５を閉じる方向（時計回り）に回転させる。キャップ５を閉じる方向に回転させることにより、キャップ５に形成された雌ネジ部６と首部２に形成された雄ネジ部３とが噛み合い始め、さらにキャップ５が下がりキャップ５の下端部に設けたれた第２環状突起部２０が首部２の第１環状突起部９を乗り越える。この場合も、キャップ５および首部２の各環状突起部２０，９が傾斜した形状であるので容易もしくは小さな力で行うことができる。また、第２環状突起部２０が第１環状突起部９を乗り越え終わるより前に、上記上板部１６ａに形成されたプラグ部１６ｃが口部４に嵌合し始め、ロック爪２１は、リブ１１の雄ネジ部３とは反対側の端部から下がり、リブ１１と第１環状突起９との間に係止される。
【００３０】
さらに、キャップ５を回転させるとキャップ５の前面に設けられた突片部１８もしくは第１識別子１９が、首部２の下端部の背面側に設けられた第３識別子１３と円周方向で一致する状態で止まる。これは、上板部１６ａの内面に形成された凸ビード１６ｄが口部４に突き当てられるからである。なお、図１０はその状態を示した断面図であり、この状態でキャップ５の突片部１８を開栓方向に押し上げた場合は、ロック爪２１がリブ１１の下面で上方向に係止させられているから、ロック爪２１がリブ１１と干渉して開閉部１６は回動できない。したがって、キャップ５に設けられたロック爪２１および首部２に設けられたリブ１１は、このキャップ５のロック機能を有している。
【００３１】
そして、容器１に取り付けられたキャップ５を開栓する場合には、キャップ５を開栓方向（反時計回り）に半周もしくは１８０°回転させる。キャップ５を半周回動させるすなわち首部２の前面に形成された第２識別子１２と突片部１８もしくは第１識別子１９とを円周方向で一致させると、首部２に形成された第１環状突起部９の底面にキャップ５に形成された第２環状突起部２０が突き当てられる。なお、図１１は、その状態を示した断面図であり、それぞれの環状突起９，２０は、上述したように抜け防止機能を有しているから、キャップ５の回転する力が抵抗力を受けるので、その状態でキャップ５が止まるもしくはそれ以上回転させることができない。また、キャップ５を半周回動させた状態では、ロック爪２１は、上下方向において雄ネジ部３と第１環状突起部９との間またはリブが形成されていない箇所に位置し、円周方向においては、首部２の雄ネジ部３に形成された切り欠き部１０と一致する位置となる。つまり、ロック爪２１は、首部２の前面の位置で止まる。さらに、キャップ５は、反時計回りに半周回動されるので上昇するが、上記プラグ部１６ｃの長さは、この状態すなわち第１識別子１９と第２識別子１２とが円周方向で一致する状態では、口部４から抜けないように設定されている。したがって、開閉部１６を開栓方向へ回動させるまでは、口部４を封止した状態を維持するように設定されている。そして、キャップ５を半周回動させた状態でキャップ５の突片部１８を押し上げると、ロック爪２１の上方には、ロック爪２１の回動を妨げる部材がないので開栓することができる。つまり、突片部１８を押し上げられると、ロック爪２１は前記切り欠き部１０の間を通過できるので、開栓することができる。なお、キャップ５を最初に開蓋する場合には、開閉部１６と円筒部１４とがスコア線１７ｂやブリッジ部１７ａで連結されているが、それら易破断部１７ｂ，１７ａは容易に破断することができるので、通常に開蓋する力とほぼ同じ力で開蓋することができる。そして、それら易破断部１７ａ，１７ｂは、一旦、開蓋されると元に戻ることがないので、視覚的に開蓋されたことを識別できるいわゆるピルファープルーフ機能を有している。
【００３２】
再度、キャップ５を閉じる場合は、従来のヒンジキャップと同様に開閉部１６を閉じる方向に回動させて、口部４を封止する。つまり、開閉部１６を元の位置に戻し、プラグ部１６ｃと口部４とを嵌合させる。そして、キャップ５が不用意に開蓋しないようにロックするためには、上述した開栓の場合と反対の操作を行う。つまり、キャップ５を閉じる方向（時計回り）に半周回転させる。すると、キャップ５の回転に追従してキャップ５が下がり、凸ビード１６ｄと口部４とが突き当てられ、さらに、ロック爪２１がリブと第１環状突起部９との間に係止される。つまり、上述した取り付けと同様に開閉部１６の開栓方向の回動を防止もしくは抑制することができる。
【００３３】
なお、本発明は、首部の口部を封止し、また首部の側壁面を覆う開閉部の内面に形成されたロック爪２１と、首部の外周に形成された雄ネジにロック爪が上下方向に通過することのできる切り欠き部とが設けられていればよく、上述した構成例に限定されない。したがって、上述したリブや各識別子を設けることは任意である。
【符号の説明】
【００３４】
１…容器、  ２…首部、  ３…雄ネジ部、  ４…口部、  ５…キャップ、  ６…雌ネジ部、  ７…本体部、  ８…フランジ部、  ９，２０…環状突起部、  １０…切り欠き部、  １１…リブ、  １９，１２，１３…識別子、  １４…円筒部、  １４ａ…リング部、  １４ｂ…立ち上げり部、  １４ｃ…上端縁、  １５…ヒンジ部、  １５ａ…帯状部、  １６…開閉部、  １６ａ…上板部、  １６ｂ…カバー部、  １６ｃ…プラグ部、  １６ｄ…凸ビード、  １７…易破断部、  １７ａ…ブリッジ部、  １７ｂ…スコア線、  １８…突片部、  ２１…ロック爪。
【図１】
2011219112.tif 000003
【図２】
2011219112.tif 000004
【図３】
2011219112.tif 000005
【図４】
2011219112.tif 000006
【図５】
2011219112.tif 000007
【図６】
2011219112.tif 000008
【図７】
2011219112.tif 000009
【図８】
2011219112.tif 000010
【図９】
2011219112.tif 000011
【図１０】
2011219112.tif 000012
【図１１】
2011219112.tif 000013